(57)【特許請求の範囲】
【請求項１】
ケーシング(１)と、上記ケーシング(１)内に回転自在に配置された加湿ロータ(２)と、上記加湿ロータ(２)を経由する吸湿通路(３),加湿通路(５ｄ)および採熱通路(５ｕ)と、上記採熱通路(５ｕ)と上記加湿通路(５ｄ)との間に設けられた加熱手段(６)とを備え、加湿運転時に上記加湿ロータ(２)の各部分が順次、吸湿通路(３),加湿通路(５ｄ),採熱通路(５ｕ)に面するように上記加湿ロータ(２)を順回転させる加湿装置の制御方法であって、
乾燥運転と、
この乾燥運転の停止後の加湿運転開始時または加湿運転開始直後に、上記乾燥運転が停止した時に上記吸湿通路(３)に面していた上記加湿ロータ(２)の湿潤した領域(２Ａ)の少なくとも一部を上記加湿通路(５ｄ)に面するように、上記加湿ロータ(２)を通常回転速度よりも速く順回転させる運転と
を行うことを特徴とする加湿装置の制御方法。
【発明の詳細な説明】
【０００１】
【発明の属する技術分野】
本発明は加湿装置の制御方法に関する。
【０００２】
【従来の技術】
加湿装置は、ケーシングと、上記ケーシング内に回転自在に配置された円板形状の加湿ロータと、加湿ロータを順回転させるモータと、加湿ロータを経由する吸湿通路,加湿通路および採熱通路と、採熱通路と加湿通路との間に設けられた加熱手段とを備えている。
【０００３】
従来、加湿装置の制御方法としては、加湿運転時に加湿ロータの各部分が順次、吸湿通路,加湿通路,採熱通路に面するように加湿ロータを一定速度で順回転させて、加湿通路に面する加湿ロータの領域から取り出した水分を含む空気を連絡ホースに排出するようにしたものがある。
【０００４】
上記構成の加湿装置の制御方法によれば、一定時間、加湿運転を行った後、連絡ホース中に結露して溜まった水分を除去するため、乾燥運転を行う。そして、乾燥運転が終了すると、再び加湿運転を開始する。
【０００５】
【発明が解決しようとする課題】
ところで、上記構成の加湿装置の制御方法によれば、加湿運転開始時、加湿通路に面する加湿ロータの領域は含水率が０または極めて低い状態である。その結果、水分を多く含んだ加湿ロータの部分が加湿通路に面するまでの間は、加湿通路を流れる空気に水分を十分に充填することができず、十分な加湿運転を行うことができない。したがって、平均加湿量が少なくなり、平均加湿能力が低下するという問題がある。
【０００６】
そこで、本発明の目的は、平均加湿能力を向上させることができる加湿装置の制御方法を提供することにある。
【０００７】
【課題を解決するための手段】
上記目的を達成するため、請求項１の発明の加湿装置の制御方法は、ケーシングと、上記ケーシング内に回転自在に配置された加湿ロータと、上記加湿ロータを経由する吸湿通路,加湿通路および採熱通路と、上記採熱通路と上記加湿通路との間に設けられた加熱手段とを備え、加湿運転時に上記加湿ロータの各部分が順次、吸湿通路,加湿通路,採熱通路に面するように上記加湿ロータを順回転させる加湿装置の制御方法であって、乾燥運転と、この乾燥運転の停止後の加湿運転開始時または加湿運転開始直後に、上記乾燥運転が停止した時に上記吸湿通路に面していた上記加湿ロータの湿潤した領域の少なくとも一部を上記加湿通路に面するように、上記加湿ロータを通常回転速度よりも速く順回転させる運転とを行うことを特徴としている。
【０００８】
上記請求項１の発明の加湿装置の制御方法によれば、乾燥運転時、上記吸湿通路には、吸湿通路の空気で湿潤した加湿ロータの領域が面している。そして、上記加湿運転開始の直前または加湿運転開始と同時に、加湿ロータが通常回転速度より速く順回転する。すると、上記加湿運転開始と同時または加湿運転開始直後には、乾燥運転時に吸湿通路に面する加湿ロータの領域の少なくとも一部が加湿通路に面して、加湿通路の空気が、湿潤した加湿ロータの部分を通過することになる。その結果、上記加湿運転開始と同時または加湿運転開始直後に十分な加湿運転が行われて、平均加湿量が増え、平均加湿能力を向上させることができる。
【０００９】
【発明の実施の形態】
以下、本発明の加湿装置の制御方法を図示の実施の形態により詳細に説明する。
【００１０】
図１は本発明の実施の一形態の加湿装置の制御方法のフローチャートである。また、図２は上記加湿装置の制御方法が適用される加湿装置の概略構成図である。この加湿装置は、図２に示すように、ケーシング１と、このケーシング１内に回転自在に配置された加湿ロータ２と、加湿ロータ２を回転させるステッピングモータ(図示せず)と、加湿ロータ２を経由する吸湿通路３,加湿通路５ｄおよび採熱通路５ｕと、この採熱通路５ｕと加湿通路５ｄとの間に設けられた加熱手段としてのヒータ６とを備えている。
【００１１】
上記吸湿通路３を流れる空気は、矢印Ａ方向に示すように、吸湿通路３に面する加湿ロータ２の領域を通過して、その領域に空気の水分が吸収される。一方、上記採熱通路５ｕおよび加湿通路５ｄを流れる空気は、矢印Ｂ方向に示すように、採熱通路５ｕに面する加湿ロータ２の領域を通過した後、ヒータ６で加熱されて、加湿通路５ｄに面する加湿ロータ２の領域を介して連絡ホース７に流れる。より詳しくは、加湿運転時において、採熱通路５ｕを流れる上方への空気の流れＢｕが、加湿ロータ２から熱を回収し、この熱を回収した後さらにヒータ６で１００℃以上に加熱され、加湿通路５ｄを流れる下方への空気の流れＢｄが加湿ロータ２から水分を吸収する。
【００１２】
上記加湿装置の制御方法を図１と図３(ａ),(ｂ)とを用いて以下に説明する。なお、図３(ａ),(ｂ)では、上記加湿ロータ２における含水率が高い部分を斜線で示している。
【００１３】
まず、図１に示すように、処理をスタートさせ、ステップＳ１１で乾燥運転を停止する。このとき、図３(ａ)に示すように、吸湿通路３に面する加湿ロータ２の領域２Ａは吸湿通路３の空気により湿潤している。一方、上記加湿通路５ｄに面する加湿ロータ２の領域２Ｂｄは、吸湿通路３近傍の部分を除き、略完全に乾燥した状態である。
【００１４】
そして、図１に示すように、ステップＳ１２で、加湿ロータ２が通常回転速度よりも速く回転するように、加湿ロータ２の毎分回転数をαｒｐｍに設定する。なお、上記加湿ロータ２の通常回転速度に対応する毎分回転数はβである(α＞β)。
【００１５】
そして、ステップＳ１３で、通常回転速度よりも速い速度で加湿ロータ２を順回転させ、ステップＳ１４で目標回転角度であるＸ°分、加湿ロータ２が回転したか否かを判定する。そのステップＳ１４で、加湿ロータ２がＸ°回転し終えたと判定すると、ステップＳ１５に進む一方、加湿ロータ２がＸ°回転し終えていないと判定されると、ステップＳ１４に戻り、加湿ロータ２がＸ°回転し終えるまでステップＳ１４を繰り返す。ここでＸ°とは、加湿運転開始時または加湿運転開始直後に、乾燥運転時に吸湿通路３に面する加湿ロータ２の領域２Ａの少なくとも一部が加湿通路５ｄに面するようにするための角度である。
【００１６】
次に、ステップＳ１５で、加湿ロータ２が通常回転速度で回転するように、加湿ロータ２の毎分回転数をαｒｐｍからβｒｐｍに戻す。
【００１７】
そして、ステップＳ１６で、加湿運転を開始して、ステップＳ１７で、ヒータ６に印加する電圧を最大(図１ではヒータ最大入力と記す)にして、処理が終了する。このとき、図３(ｂ)に示すように、上記加湿通路５ｄに面する加湿ロータ２の領域２Ｂｄは、加湿ロータ２の湿潤した部分である。なお、ステップＳ１７の処理は、ステップＳ１６の処理の直後に行うのが好ましい。
【００１８】
このように、上記加湿運転開始直後には、加湿通路５ｄに湿潤した加湿ロータ２の部分が面していることによって、加湿運転開始直後の加湿通路５ｄの空気が、湿潤した加湿ロータ２の部分を通過することになる。その結果、上記加湿運転開始直後に十分な加湿運転が行われて、平均加湿量が増大し、平均加湿能力を向上させることができる。
【００１９】
図４は上記加湿ホース７の出口の相対湿度と経過時間との関係を示すグラフである。図４では、従来の加湿装置の制御方法を行った場合の連絡ホース７の出口の相対湿度の時間変化を実線で示している。また、本実施形態の加湿装置の制御方法を行った場合の連絡ホース７の出口の相対湿度の時間変化を二点鎖線で示している。なお、図４では上記連絡ホース７の出口の相対湿度をホース出口相対湿度と記している。
【００２０】
本実施形態の加湿装置の制御方法を行うと、図４に示すように、加湿運転の初期において、従来の加湿装置の制御方法を行った場合よりも連絡ホース７の出口の相対湿度が大きく増大することが分った。つまり、本実施形態の加湿装置の制御方法を行うことによって、平均加湿量を増大させることができることが分ったのである。
【００２１】
上記実施の形態では、本発明の加湿装置の制御方法を図２に示す加湿装置に適用したが、他の加湿装置に適用してもよい。
【００２２】
また、上記実施の形態では、加湿運転開始直後に、乾燥運転時に吸湿通路３に面する加湿ロータ２の領域２Ａの少なくとも一部が加湿通路５ｄに面するようにしたが、加湿運転開始と同時に、乾燥運転時に吸湿通路３に面する加湿ロータ２の領域２Ａの少なくとも一部が加湿通路５ｄに面するようにしてもよい。
【００２３】
また、上記実施の形態では、ステッピングモータを用いて加湿ロータ２の回転速度を調節したが、ＡＣモータまたはＤＣモータを用いて周波数制御で加湿ロータ２の回転速度を調節してもよい。
【００２４】
【発明の効果】
以上より明らかなように、請求項１の発明の加湿装置の制御方法は、加湿運転開始時または加湿運転開始直後に、乾燥運転時に吸湿通路に面する加湿ロータの領域の少なくとも一部を上記加湿通路に面するように、加湿ロータを通常回転速度よりも速く順回転させるので、加湿運転開始と同時または加湿運転開始直後に、湿潤した加湿ロータの部分を加湿通路の空気が通過して、十分な加湿運転が行われる。したがって、平均加湿量が高くなり、平均加湿能力を向上させることができる。
【図面の簡単な説明】
【図１】  図１は本発明の実施の一形態の加湿装置の制御方法のフローチャートである。
【図２】  図２は上記加湿装置の制御方法が適用される加湿装置の概略構成図である。
【図３】  図３(ａ)は上記加湿装置の要部の乾燥運転時の状態を示す概略図であり、図３(ｂ)は上記加湿装置の要部の加湿運転開始時の状態を示す概略図である。
【図４】  図４は連絡ホースの出口の相対湿度と経過時間との関係を示すグラフである。
【符号の説明】
１  ケーシング
２  加湿ロータ
３  吸湿通路
５ｄ  加湿通路
５ｕ  採熱通路
６  ヒータ
【図１】
0003823681.tif 000002
【図２】
0003823681.tif 000003
【図３】
0003823681.tif 000004
【図４】
0003823681.tif 000005